(57)【要約】【課題】  視線誘導標を改良して、夜間の視認性を格段に向上させる。【解決手段】  透明（ないし半透明）のシャフト２を支持している設置用ベース１に、太陽電池６を設置するとともに、該シャフト２にＬＥＤ１０を配設し、このシャフト２に被せる軸受筒３を透明（ないし半透明）材料で構成する。前記太陽電池６で発電された電力を蓄電地９に蓄えておき、夜間には前記ＬＥＤ１０を発光させる。シャフト２および軸受筒３が透明であるから、周囲３６０度いずれの方向からもＬＥＤの光を視認することができる。昼夜の別は、フォトセンサ８の検出信号に基づき回路基板７によって判断され、昼夜に応じて蓄電・発光制御が行なわれる。風車羽根４が破損したとき、該風車羽根だけを迅速容易に交換修復することができ、本発明を適用して設置した電気的部材は交換しなくても済む。【選択図】  図１
2006125158.tif 000002
【特許請求の範囲】
【請求項１】
設置用ベース（１）に植設されてほぼ垂直に支持されるシャフト（２）と、該シャフトに外嵌された軸受筒（３）と、前記シャフトに関して対称に配置された風車羽根（４）とを有する風力回転式視線誘導標において、
前記シャフト及び軸受筒が透明ないし半透明であり、
かつ該シャフトに、少なくとも１個の発光体が配置されていることを特徴とする風力回転式視線誘導標。
【請求項２】
前記の発光体がＬＥＤ（１０）であり、かつ前記設置用ベースに太陽電池（６）、蓄電地（９）および回路基板（７）が装着されていることを特徴とする、請求項１に記載した風力回転式視線誘導標。  
【請求項３】
前記の発光体がＬＥＤ（１０）であり、かつ前記風車羽根に太陽電池（６）が取り付けられるとともに、前記設置用ベース（１）に蓄電地（９）および回路基板（７）が装着されていることを特徴とする、請求項１に記載した風力回転式視線誘導標。
【請求項４】
前記風車羽根（４）にＥＬシート（５）が貼着されており、かつ、前記設置用ベースに太陽電池（６）、蓄電地（９）および回路基板（７）が装着されていることを特徴とする、請求項１に記載した風力回転式視線誘導標。
【請求項５】
前記風車羽根（４）の一部分に再帰性反射シート（５）が貼着されていることを特徴とする、請求項１ないし請求項１ないし請求項３の何れか一つに記載した風力回転式視線誘導標。
【請求項６】
前記設置用ベース（１）にフォトセンサ（８）が設けられるとともに、このフォトセンサが前記回路基板（７）に接続されていて、環境が明るいときは太陽電池の発電電力を前記蓄電地に蓄電し、環境が暗くなると蓄電地の蓄電電力によって前記ＬＥＤまたはＥＬシートを発光させるようになっていることを特徴とする、請求項１ないし請求項５の何れかに記載した風力回転式視線誘導標。 
【請求項７】
前記の発光体がＬＥＤ（１０）であり、
かつ、前記透明軸受筒（３）に永久磁石北極（１１Ｎ）および永久磁石南極（１１Ｓ）が設置されるとともに、前記シャフト（２）にコイル（１２ ）が装着されていることを特徴とする、請求項１に記載した風力回転式視線誘導標。
【請求項８】
前記のＬＥＤ（１０）の設置個数が複数個であって、複数種類の色調を表すＬＥＤ（１０ｒ，１０ｙ，１０ｇ）が配列されており、
前記回路基板（７）は、コイル（１２）に発生した電圧もしくは周波数に基づいて風速を算出する機能を有し、
かつ、算出した風速に応じて複数種類の色調を有する複数個のＬＥＤの内の特定のＬＥＤを発光させる機能を有していることを特徴とする、請求項７に記載した風力回転式視線誘導標。
【請求項９】
前記回路基板（７）は、コイル（１２）に発生した電圧もしくは周波数に基づいて風速を算出する機能を有し、
かつ、算出した風速に応じて、予め定められたサイクルで前記ＬＥＤを点滅させる機能を有していることを特徴とする、請求項８に記載した風力回転式視線誘導標。
【請求項１０】
前記のＬＥＤまたはＥＬシートを備えた視線誘導標の複数個が道路に沿って配列し得るようになっており、
かつ、上記複数個の視線誘導標に設けられているＬＥＤまたはＥＬシートを、同じサイクルで、しかも相互に位相をずらせて発光させるように制御する機能を有する回路基板（７）を具備していることを特徴とする、請求項１ないし請求項５の何れかに記載した風力回転式視線誘導標。
【発明の詳細な説明】
【技術分野】
【０００１】
本発明は風力を受けて回転する方式の視線誘導標に係り、特に、発光体を設けて視認性を向上させた風力回転式視認誘導標に関するものである。
【背景技術】
【０００２】
風力によって回転する風車式の視線誘導標について種々の要請が有るが、主として
イ．視認性の良いこと、
ロ．耐久性、信頼性に優れていること、及び、
ハ．保守整備が容易で、使用コストが安いこと。
が求められていた。
【０００３】
上記の要請に応えて成された発明として、次のものが公知である。
ａ、特許文献１として挙げた特開平６ー７６４１５号公報に記載された発明
（注）風車軸に発電機を直結して得られた電力で発光体を発光させるものである。
ｂ．特許文献２として挙げた特開平７−２５９０２９号公報に記載された発明
（注）風力発電電力を蓄電するものである。 
ｃ．特許文献３として挙げた特開２００３−２６１９２号公報に記載された発明
（注）反射面払拭風車に発電機構と発光体とを装着したものである。
ｄ．特許文献４として挙げた実用新案登録第３０１６０１１号公報に記載された考案
（注）反射面形状を改良して、周囲３６０度からの視認を可能にしたものである。
【特許文献１】特開平６−７６４１５号公報
【特許文献２】特開平７−２５９０２９号公報
【特許文献３】特開２００３−２６１９２号公報
【特許文献４】実用新案登録第３０１６０１１号公報
【発明の開示】
【発明が解決しようとする課題】
【０００４】
視線誘導標は路傍に設置されるので、しばしば自動車の衝突を受ける。このため、視線誘導標を丈夫に作る工夫が為されている。
しかし、高速で走行していた自動車に衝突されたり、大型貨物自動車の衝突を受けたり踏み付けられたりするので、丈夫にするだけでは対応し切れない（踏まれても蹴られても絶対に壊れないようにしようとすると極めて高価になって、実用的でない）。
そこで本発明者らは、破損したとき迅速容易に、しかも低コストで復元せしめ得る視線誘導標の創作に鋭意工夫努力を重ねて、新規な風力回転式視線誘導標を創作し、本願の出願人によって別途出願中（以下、未公知の先願発明という・特願２００３−１４０２６９号）である。
本願発明は上記未公知の先願発明の「破損時の迅速容易な復元性」を損なうことなく、夜間視認性を格段に向上させることを目的とする。
【課題を解決するための手段】
【０００５】
前記未公知の先願発明の基本は、柱状に立設したシャフトに筒状の軸受を被せて、この筒状軸受に風車羽根を取り付けた構造である。
本願発明の基本的原理は、上記のシャフトおよび筒状軸受を透明材料で構成し、該シャフトの中に光源を配置する。これにより、シャフトと軸受とを迅速容易に着脱することができ、しかも、シャフトに設けた光源が周囲３６０度から視認できる。
さらに本発明は、上記の光源を発光させるための電力を自分で賄う工夫を加えた。すなわち、太陽光発電もしくは風力発電を併せて行なうことができる。
【０００６】
上述の原理に基づく具体的な構成として、請求項１に係る発明の構成は、（図１参照）
設置用ベース（１）に植設されてほぼ垂直に支持されるシャフト（２）と、該シャフトに外嵌された軸受筒（３）と、前記シャフトに関して対称に配置された風車羽根（４）とを有する風力回転式視線誘導標において、
前記シャフト及び軸受筒が透明ないし半透明であり、
かつ該シャフトに、少なくとも１個の発光体（例えばＬＥＤ１０）が配置されていることを特徴とする。
【０００７】
以上に説明した請求項１の発明によると、風車羽根の透明軸受筒が柱状のシャフトに被せられた構造であるから着脱が容易であって、可動部材（風車羽根と透明軸受筒）が壊されたら直ちに交換して修復することができる上に、
シャフトおよび軸受が透明（ないし半透明）であるから、シャフトに設けられた発光体が周囲３６０度、いずれの方向からも視認することができる。
上記のように、シャフト及び軸受が透明であることに本発明の新規性・進歩性が有る。
この構成は本発明者が多年の経験に基づき、研究工夫を重ねて創作したものであって、決して当業者の容易に着想し得るところではない。
【０００８】
請求項２に係る発明の構成は、前記請求項１の発明の構成要件に加えて、（図１参照）
前記の発光体がＬＥＤ（１０）であり、かつ前記設置用ベースに太陽電池（６）、蓄電地（９）および回路基板（７）が装着されていることを特徴とする。
【０００９】
以上に説明した請求項２の発明によると、設置用ベースに設けられた太陽電池によって自家発電できるので、乾電池や商用電力の供給を必要としない。
ＬＥＤは発光効率が良いので、太陽電池の発電電力で賄い得る。その上、蓄電地を備えているので、晴天の昼間に発電した電力を蓄えておいて、夜間や雨天時にＬＥＤを発光させることができる。  
【００１０】
請求項３に係る発明の構成は、前記請求項１の発明の構成要件に加えて、（図２参照）
前記の発光体がＬＥＤ（１０）であり、かつ前記風車羽根に太陽電池（６）が取り付けられるとともに、前記設置用ベース（１）に蓄電地（９）および回路基板（７）が装着されていることを特徴とする。
【００１１】
以上に説明した請求項３の発明によると、風車羽根に取り付けた太陽電池で自家発電できるので、乾電池や商用電力の供給を必要としない。
ＬＥＤは発光効率が良いので、太陽電池の発電電力で賄い得る。その上、蓄電地を備えているので、風の吹く時に発電した電力を蓄えておいて、無風の夜間や雨天時にＬＥＤを発光させることができる。
【００１２】
請求項４に係る発明の構成は、前記請求項１の発明の構成要件に加えて、（図２参照）前記風車羽根（４）にＥＬシート（５）が貼着されており、かつ、前記設置用ベースに太陽電池（６）、蓄電地（９）および回路基板（７）が装着されていることを特徴とする。
【００１３】
以上に説明した請求項４の発明によると、シャフトに設けられたＬＥＤの外に、風車羽根に貼着されたＥＬシートを備えているので、広い発光面積が確保され、いっそう視認性が良くなる。
【００１４】
請求項５に係る発明の構成は、前記請求項１ないし請求項３の発明の構成要件に加えて、（図２参照）
前記風車羽根（４）の一部分に再帰性反射シート（５）が貼着されていることを特徴とする。
【００１５】
以上に説明した請求項５の発明によると、シャフトに設けられたＬＥＤの外に、風車羽根に貼着された再帰性反射シートを備えているので、走行車両の前照灯の光束を反射して、いっそう良好な視認性が得られる。  
【００１６】
請求項６に係る発明の構成は、前記請求項１ないし請求項５の発明の構成要件に加えて、（図１および図４を併せて参照）前記設置用ベース（１）にフォトセンサ（８）が設けられるとともに、このフォトセンサが前記回路基板（７）に接続されていて、環境が明るいときは太陽電池の発電電力を前記蓄電地に蓄電し、環境が暗くなると蓄電地の蓄電電力によって前記ＬＥＤまたはＥＬシートを発光させるようになっていることを特徴とする。
【００１７】
以上に説明した請求項６の発明によると、フォトセンサによって昼夜の別を検知し、必要に応じて適正に蓄電地の充，放電を行ない、高い信頼性で視線誘導機能を発揮することができる。
【００１８】
請求項７に係る発明の構成は、前記請求項１の発明の構成要件に加えて、（図３参照）前記の発光体がＬＥＤ（１０）であり、
かつ、前記透明軸受筒（３）に永久磁石北極（１１Ｎ）および永久磁石南極（１１Ｓ）が設置されるとともに、前記シャフト（２）にコイル（１２ ）が装着されていることを特徴とする。
【００１９】
以上に説明した請求項７の発明によると、風車羽根の回転に伴って軸受筒が回転して、該軸受筒に装着された永久磁石の磁束が、シャフトに設けられたコイルで切られるので、該コイルに誘導電流が発生する。
上記の発生電流は蓄電地に蓄えられてＬＥＤに供給されるのであるが、該蓄電地９が静止部材であるから、コイルが静止部材であることが望ましい。
「シャフトに永久磁石北極を設置して、軸受筒にコイルを設ける」という構成を採らず「軸受筒に永久磁石を装着して、シャフトにコイルを設ける」という構成としたのは、上述の事情を勘案して創作した技術的思想であって、決して単なる設計的配慮ではない。
【００２０】
請求項８に係る発明の構成は、前記請求項７の発明の構成要件に加えて、（図４参照）前記のＬＥＤ（１０）の設置個数が複数個であって、複数種類の色調を表すＬＥＤ（１０ｒ，１０ｙ，１０ｇ）が配列されており、
前記回路基板（７）は、コイル（１２）に発生した電圧もしくは周波数に基づいて風速を算出する機能を有し、
かつ、算出した風速に応じて複数種類の色調を有する複数個のＬＥＤの内の特定のＬＥＤを発光させる機能を有していることを特徴とする。
【００２１】
以上に説明した請求項８の発明によると、風車羽根に発電機構が取り付けられており、その発生電圧やサイクルが風速に比例することを利用して、視線誘導標の発光色調を変化させることができる。
これにより、例えば安全風速時には緑色に発光させ、警戒風速時には黄色に発光させ、危険風速時には赤色に発光させて、ドライバーの注意を喚起することができる。
高速道路において強風による自動車横転事故が少なくない現実、および、風速が場所によって異なることを勘案すると、視線誘導標が風速表示機能を兼ねることの実用的価値は多大である。
【００２２】
請求項９に係る発明の構成は、前記請求項８の発明の構成要件に加えて、（図５参照）前記回路基板（７）は、コイル（１２）に発生した電圧もしくは周波数に基づいて風速を算出する機能を有し、
かつ、算出した風速に応じて、予め定められたサイクルで前記ＬＥＤを点滅させる機能を有していることを特徴とする。
【００２３】
以上に説明した請求項９の発明によっても、風車羽根に発電機構が取り付けられており、その発生電圧やサイクルが風速に比例することを利用して、視線誘導標の点滅サイクルを変化させることができる。
これにより、例えば安全風速時には連続点灯させ、警戒風速時には緩徐に点滅させ、危険風速時には高サイクルで点滅させて、ドライバーの注意を喚起することができる。
高速道路において強風による自動車横転事故が少なくない現実、および、風速が場所によって異なることを勘案すると、視線誘導標が風速表示機能を兼ねることの実用的価値は多大である。
【００２４】
請求項１０に係る発明の構成は、前記請求項１ないし請求項５の発明の構成要件に加えて、前記のＬＥＤまたはＥＬシートを備えた視線誘導標の複数個が道路に沿って配列し得るようになっており、
かつ、上記複数個の視線誘導標に設けられているＬＥＤまたはＥＬシートを、同じサイクルで、しかも相互に位相をずらせて発光させるように制御する機能を有する回路基板（７）を具備していることを特徴とする、請求項１ないし請求項５
【００２５】
以上に説明した請求項１０の発明によると、道路に沿って列設された視線誘導標の発光を順次に移動させることができる。
これをドライバーから見たとき、誘導光の流れを感じ、実質的な視認効果が著しく向上する。
【発明の効果】
【００２６】
請求項１の発明によると、風車羽根の透明軸受筒が柱状のシャフトに被せられた構造であるから着脱が容易であって、可動部材（風車羽根と透明軸受筒）が壊されたら直ちに交換して修復することができる上に、
シャフトおよび軸受が透明（ないし半透明）であるから、シャフトに設けられた発光体が周囲３６０度、いずれの方向からも視認することができる。
上記のように、シャフト及び軸受が透明であることに本発明の新規性・進歩性が有る。
この構成は本発明者が多年の経験に基づき、研究工夫を重ねて創作したものであって、決して当業者の容易に着想し得るところではない。  
【００２７】
請求項２の発明によると、設置用ベースに設けられた太陽電池によって自家発電できるので、乾電池や商用電力の供給を必要としない。
ＬＥＤは発光効率が良いので、太陽電池の発電電力で賄い得る。その上、蓄電地を備えているので、晴天の昼間に発電した電力を蓄えておいて、夜間や雨天時にＬＥＤを発光させることができる。
【００２８】
請求項３の発明によると、風車羽根に取り付けた太陽電池で自家発電できるので、乾電池や商用電力の供給を必要としない。
ＬＥＤは発光効率が良いので、太陽電池の発電電力で賄い得る。その上、蓄電地を備えているので、風の吹く時に発電した電力を蓄えておいて、無風の夜間や雨天時にＬＥＤを発光させることができる。
【００２９】
請求項４の発明によると、シャフトに設けられたＬＥＤの外に、風車羽根に貼着されたＥＬシートを備えているので、広い発光面積が確保され、いっそう視認性が良くなる。
【００３０】
請求項５の発明によると、シャフトに設けられたＬＥＤの外に、風車羽根に貼着された再帰性反射シートを備えているので、走行車両の前照灯の光束を反射して、いっそう良好な視認性が得られる。
【００３１】
請求項６の発明によると、フォトセンサによって昼夜の別を検知し、必要に応じて適正に蓄電地の充，放電を行ない、高い信頼性で視線誘導機能を発揮することができる。
【００３２】
請求項７の発明によると、風車羽根の回転に伴って軸受筒が回転して、該軸受筒に装着された永久磁石の磁束が、シャフトに設けられたコイルで切られるので、該コイルに誘導電流が発生する。
上記の発生電流は蓄電地に蓄えられてＬＥＤに供給されるのであるが、該蓄電地９が静止部材であるから、コイルが静止部材であることが望ましい。
「シャフトに永久磁石北極を設置して、軸受筒にコイルを設ける」という構成を採らず「軸受筒に永久磁石を装着して、シャフトにコイルを設ける」という構成としたのは、上述の事情を勘案して創作した技術的思想であって、決して単なる設計的配慮ではない。
【００３３】
請求項８の発明によると、風車羽根に発電機構が取り付けられており、その発生電圧やサイクルが風速に比例することを利用して、視線誘導標の発光色調を変化させることができる。
これにより、例えば安全風速時には緑色に発光させ、警戒風速時には黄色に発光させ、危険風速時には赤色に発光させて、ドライバーの注意を喚起することができる。
高速道路において強風による自動車横転事故が少なくない現実、および、風速が場所によって異なることを勘案すると、視線誘導標が風速表示機能を兼ねることの実用的価値は多大である。
【００３４】
請求項９の発明によっても、風車羽根に発電機構が取り付けられており、その発生電圧やサイクルが風速に比例することを利用して、視線誘導標の点滅サイクルを変化させることができる。
これにより、例えば安全風速時には連続点灯させ、警戒風速時には緩徐に点滅させ、危険風速時には高サイクルで点滅させて、ドライバーの注意を喚起することができる。
高速道路において強風による自動車横転事故が少なくない現実、および、風速が場所によって異なることを勘案すると、視線誘導標が風速表示機能を兼ねることの実用的価値は多大である。
【００３５】
請求項１０の発明によると、道路に沿って列設された視線誘導標の発光を順次に移動させることができる。
これをドライバーから見たとき、誘導光の流れを感じ、実質的な視認効果が著しく向上する。
【発明を実施するための最良の形態】
【００３６】
図１は本発明に係る風力回転式視線誘導標の１実施形態を示し、（Ａ）は模式的な平面図、（Ｂ）は模式的な正面図である。
設置用ベース１にシャフト２が植設され、ほぼ垂直に支持されている。一方、風車羽根４に設けられた軸受筒３が緩やかに外嵌されている。ここまでは、前記未公知の先願発明の構成である。さらに本発明は、上記の軸受筒３を透明な材料で構成する（ただし、半透明材料で構成することもできる。以下、透明とは半透明を含む意とする）。
さらに、風車羽根４も透明材料で構成する。  
【００３７】
この実施形態では、前記設置用ベース１に太陽電池６を設置する（言うまでもなく、設置用ベースの表面に露出させて設置する）。
そして、前記シャフト２の中に複数個のＬＥＤ１０を配列する。符号７を付して示したのは回路基板、符号９を付して示したのは蓄電地、符号８を付して示したのはフォトセンサである。
昼間は、太陽電池６が陽光を受けて発電し、発生電力は蓄電地９に蓄えられる。
夜間など、環境が暗くなると、フォトセンサ８がこれを検知して「暗を意味する信号」を出力し、回路基板７の制御により、蓄電地９の蓄電電力を前記ＬＥＤ１０に供給して発光させる。
【００３８】
前記のシャフト２及び軸受筒３が透明であるから、ＬＥＤ１０の出射光は周囲３６０度あらゆる方向から視認することができ、当該視線誘導標の夜間視認性が格段に向上する。
風が吹いて風車羽根４が回ると、視認性は一層良くなる。
図１を参照して以上に説明した構成部材の中で、風車羽根４は回転部材であり、太陽電池６、回路基板７、フォトセンサ８、蓄電地９、及びＬＥＤ１０は静止部材である。
このように、発電部材も、発光部材も、制御部材も静止部材であることの意義が重要である。すなわち、静止部材と回転部材との間で通電する必要が無い。このため、構造が簡単であり、接触不良などのトラブルが無く、配線部分の密閉防水が容易に可能である。
【００３９】
上述のような構造であるから、強風のため又は自動車の衝突によって風車羽根４が破損
したとき、透明軸受筒３をシャフト２から抜き出して迅速容易に分解することができ、かつ、新品の補給部品を迅速容易に組みつけて修復することができる。この場合、太陽電池６、回路基板７、フォトセンサ８、蓄電地９、ＬＥＤ１０などの電装部品は交換されずに継続使用されるから経済的である。
【００４０】
図１を参照して以上に説明した構成に加えて、前記風車羽根４に再帰性反射シート又はＥＬシート５を貼着することもできる。
再帰性反射シートを貼着すると、ＬＥＤ１０による発光に加えて、車両前照灯の投射光が再帰性反射されるので、視認性が一層良くなる。
図示のように、再帰性反射シートの形状が倒立三角形をなしているのは、陽光に対して太陽電池６を覆い隠さないように配慮したものである。
【００４１】
本図１に示したように、ＥＬシート５を風車羽根４に貼着すると、発光体であるＥＬシートが風車羽根４と一緒に回転するので、視認性は非常に良くなる。
ただし、静止部材である太陽電池６や回路基板７と、回転部材であるＥＬシート５の間の電気配線の途中にスリップリング（図示省略）を介挿しなければならない。また、風車羽根４が破損したとき、ＥＬシートも一緒に交換しなければならなくなる。
【００４２】
図２は、前掲の図１と異なる実施形態を示し、（Ａ）は模式的に描いた平面図、（Ｂ）は模式的に描いた正面図である。
前記図１の実施形態に比して異なるところを抽出して述べると次のとおりである。
前記実施形態（図１）では設置用ベース１に設置されていた太陽電池６を、本実施形態（図２）では風車羽根４に貼着した。
日の出から日没までの間に陽光の入射方向は絶えず変化するが、回転部材である風車羽根４に取り付けられた太陽電池６は、陽光の方向変化に拘わらず比較的安定した発電機能を発揮する。
【００４３】
本図２の実施形態においては、回転部材である太陽電池６と静止部材であるＬＥＤ１０その他との間の電気配線にスリップリング（図示せず）を設けなければならない。
また、風車羽根４が破損して交換する際、比較的高価な太陽電池６を廃棄するのは不経済であるから、風車羽根４に対して太陽電池６を着脱可能に取り付けておくことが望ましい。
図２に示した構成部材の内で、再帰性反射シート又はＥＬシート５は省略してもよく、設置してもよい。
【００４４】
図３は、前掲の図１，図２と更にことなる実施形態を示し、異なる事項は主として次のとおりである。
太陽電池を設置しない。その代り透明軸受筒３に永久磁石を、シャフト２にコイル１２を、それぞれ装着する。１１Ｎは永久磁石北極、１１Ｓは永久磁石南極である。この構造部分の詳細は、図４を参照して後に詳述するが、発電出力端を有するコイル１２を静止部材側（シャフト２）に、発電出力端を有しない永久磁石を回転部材側（透明軸受筒３）に、それぞれ配設してある。
【００４５】
風が吹いて風車羽根４が回転すると、該風車羽根の透明軸受筒３に装着された永久磁石が回転し、その磁束がコイル１２を横切る。このため該コイルに誘導起電力が発生し、回路基板７に制御されて蓄電地９を充電する。
この実施形態（図３）によると、昼夜の区別無く、風さえ吹けば発電される。気象現象としての風が吹かなくても、自動車の走行で巻き起こされる風によっても風車羽根４が回るので発電される。
このため、直射日光の射し込まない山陰やトンネル内に好適である。
【００４６】
図４は前掲の図３に示した電磁誘導発電方式の実施形態における発電機構部分を表し、（Ａ）は模式的に描いた断面平面図、（Ｂ）は模式的に描いた断面正面図にＬＥＤ及び電気制御回路を付記した系統図である。
１対の永久磁石北極１１Ｎ・永久磁石南極１１Ｓの回転によってコイル１２に交流電圧が発生するので、ブリッジダイオード１３を介して蓄電地９に電気出力を供給して充電が行われる。
夜間になると、フォトセンサ８の出力信号に基づいて回路基板７がＬＥＤに作動電力を与える。
【００４７】
本例の発電機構は、前述した充電動作の他に、風速センサとしての機能を有している。すなわち、コイル１２に発生する誘導起電力の周波数（サイクル）及び電圧は、風車羽根４の回転速度に比例している。つまり、風速にほぼ比例している。
従って、電圧もしくはサイクルを検出すると風速を算出することができる。
一方、高速道路においては、強風による自動車転倒事故が少なくない。このため、風速に応じて走行速度規制が行なわれている。
ししながら、局地的に風の強弱が有るので、局地的な強風注意標示の必要性が大きい。
【００４８】
本実施形態（図４）は、単なる視線誘導だけでなく、風速標示も併せて行なう。
本例は赤色ＬＥＤ１０ｒと、黄色ＬＥＤ１０ｙと、緑色ＬＥＤ１０ｇとの３種類のＬＥＤが設けられている。
回路基板７は、コイル１２の発生電圧、もしくはブリッジダイオード１３で半波整流された脈流のサイクルから風速を算出して、次のように標示する。
算出された風速に応じて切替スイッチ１４を作動させ、予め定められた基準に基づいて
安全風速の場合は緑色ＬＥＤ１０ｇを発光させ、注意風速の場合は黄色ＬＥＤ１０ｙを発光させ、危険風速になると赤色ＬＥＤ１０ｒを発光させる。
通行車両のドライバーは、視線誘導標の発光色調を見て、風速の状態を知ることができる。
【００４９】
図５も、風速標示機能を備えた実施形態における視線誘導標の発電・発光機構部分を表し、（Ａ）は模式的に描いた断面平面図、（Ｂ）は模式的に描いた断面正面図にＬＥＤ及び電気制御回路を付記した系統図である。
次に、この図５を援用して２種類の実施形態を説明する。
その一つはＬＥＤの点灯数変化方式、二つ目は点滅サイクル変化方式である。双方の方式を併用することもできる。
【００５０】
〔その１・点灯数変化方式〕
本例では４個のＬＥＤ１０が切替スイッチ１４及び逆流防止ダイオード１５を介して回路基板７に接続されている。
回路基板７が算出した風速が５メートル／秒以内であると、切替スイッチ１４の可動端子を固定端子ａに導通させて１個のＬＥＤ１０を発光させる。
風速が５〜１０メートル／秒のときは、固定端子ｂに導通させて２個のＬＥＤ１０を発光させる。
風速が１０〜１５メートル／秒のときは、固定端子ｄに導通させて３個のＬＥＤ１０を発光させる。
風速が１５メートル／秒を越えると、固定端子ｅに導通させて４個のＬＥＤ１０を発光させる。
ドライバーは、ＬＥＤの点灯個数によって風速の程度（危険度）を知ることができる。
例えば時速６０キロメートルで走行している自動車は、自分で秒速約１７メートルの風を切って走っているのであるから、自然の風の速さについては、この程度の精度で知ることができれば足りる。
【００５１】
〔その１・点滅サイクル変化方式〕
この場合は切替スイッチ１４を省略することができる。
回路基板７が風速を算出し、風速に応じたサイクルでＬＥＤ１０を点滅制御する。  
例えば、風速５メートル／秒以内のときは、ＬＥＤ１０が連続発光し、
風速５〜１０メートル／秒のときは、１．２サイクルで点滅し、
風速１０〜１５メートル／秒のときは、０．８サイクルで点滅し、
風速１５メートル／秒以上のときは、０．４サイクルで点滅するように制御される。
ドライバーは、視線誘導標のＬＥＤが点滅するチカチカの速さによって、危険の程度を官能的に察知することができるから、その効果は非常に実用的である。
【図面の簡単な説明】
【００５２】
【図１】本発明に係る風力回転式視線誘導標の１実施形態を示し、（Ａ）は模式的な平面図、（Ｂ）は模式的な正面図
【図２】前掲の図１と異なる実施形態を示し、（Ａ）は模式的に描いた平面図、（Ｂ）は模式的に描いた正面図
【図３】前掲の図１，図２と更に異なる実施形態を示し、（Ａ）は模式的に描いた平面図、（Ｂ）は模式的に描いた正面図
【図４】前掲の図３に示した実施形態における発電機構部分を表し、（Ａ）は模式的に描いた断面平面図、（Ｂ）は模式的に描いた断面正面図にＬＥＤ及び電気制御回路を付記した系統図
【図５】前掲の図４と異なる実施形態における発電機構部分を表し、（Ａ）は模式的に描いた断面平面図、（Ｂ）は模式的に描いた断面正面図にＬＥＤ及び電気制御回路を付記した系統図
【符号の説明】
【００５３】
１…設置用ベース
２…シャフト
３…透明軸受筒
４…風車羽根
５…再帰性反射シート又はＥＬシート
６…太陽電池
７…回路基板
８…フォトセンサ 
９…蓄電地 
１０…ＬＥＤ 
１０ｒ…赤色ＬＥＤ 
１０ｙ…黄色ＬＥＤ 
１０ｇ…緑色ＬＥＤ 
１１Ｎ…永久磁石北極 
１１Ｓ…永久磁石南極 
１２…コイル 
１３…ブリッジダイオード 
１４…切替スイッチ１ 
１５…逆流防止ダイオード 
【図１】
2006125158.tif 000003
【図２】
2006125158.tif 000004
【図３】
2006125158.tif 000005
【図４】
2006125158.tif 000006
【図５】
2006125158.tif 000007